(57)【要約】【課題】重量物にも耐えられ、しかもかさばらず、収納物に応じて、通気性を確保したり、コンパクトにしたりすることが自在で、かつ収納以外の機能をも有する手提げバッグを提供すること。【解決手段】（ア）８角形の布地（３）と、（イ）両端に輪状の紐通し具（２４）を設けた４本の支持用帯紐（２１）を中央部分で重ねて放射状に固着してあり、１個の吊下用帯紐（２２）を紐通し具（２４）に挿通してあり、前記支持用帯紐（２１）の各端を前記布地（３）の各頂点部分に着脱可能に取り付けた８角形の支持体（２）とを有する手提げバッグ（１）とすること。【選択図】図１
2009131348.tif 000002
【特許請求の範囲】
【請求項１】
互いに着脱可能な支持体と布地とを有し、（ア）前記支持体が、８個の紐通し具と４本の支持用帯紐と１本の吊下用帯紐とを有し、各紐通し具は各支持用帯紐の両端に取り付けてあり、前記支持用帯紐は中央部分で４本重ねて放射状に固着してあり、前記吊下用帯紐は各紐通し具に挿通し環状にしてあり、各支持用帯紐に布地を着脱可能に取り付ける布地取付部を有し、（イ）前記布地が、８角形であって各頂点部分に支持用帯紐取付部を有することを特徴とする手提げバッグ。
【請求項２】
前記支持体が、さらに、補強用帯紐で８角形に形成した補強ネットを有し、前記補強ネットが、各頂点部分で前記支持用帯紐に固着してあることを特徴とする請求項１記載の手提げバッグ。
【請求項３】
前記支持体が、さらに、前記吊下用帯紐を固定する掛け具を有する握り手を有することを特徴とする請求項１又は請求項２記載の手提げバッグ。
【請求項４】
前記布地が傘地の再利用であることを特徴とする請求項１から請求項３のいずれかに記載の手提げバッグ。
【請求項５】
使用済の８角形の傘を傘地と骨部に分離する工程、分離した傘地の各頂点部分に支持用帯紐着脱取付部を設ける工程、４本の支持用帯紐を中央部分で重ねて放射状に固着する工程、各支持用帯紐の両端に紐通し具を設ける工程、１本の吊下用帯紐を各紐通し具に挿通し環状にする工程、各支持用帯紐に布地着脱取付部を設ける工程、前記支持用帯紐の各端の布地着脱取付部に前記傘地の各頂点部分の支持用帯紐着脱取付部を着脱自在に取り付ける工程を含むことを特徴とする手提げバッグの製造方法。
【発明の詳細な説明】
【技術分野】
【０００１】
本発明は、買物などに利用でき、収納以外の機能も有する手提げバッグに関する。
【背景技術】
【０００２】
従来、買物用の手提バッグには買い物かごに装着するバッグなどがある（例えば、特許文献１参照）。
【特許文献１】特許第３５４７７０５号公報（０００８段落）
【発明の開示】
【発明が解決しようとする課題】
【０００３】
しかし、上記したバッグでは、収納以外の機能を持たず、また大きなビンなど重い荷物を入れると重量に耐え切れずバッグが破れる恐れがあるという問題があった。また、少量の荷物でも、バッグ全体の大きさが変らないためかさばるという問題があった。また、植木や小型犬や猫を入れて用いる場合に通気性がないという問題があった。
【０００４】
したがって、本発明の第１の目的は、重量物にも耐えられ、しかもかさばらず、収納物に応じて、通気性を確保したり、コンパクトにしたりすることが自在で、かつ収納以外の機能をも有する手提げバッグを提供することにある。
【課題を解決するための手段】
【０００５】
上記目的を達成するため、本発明は、次のように構成したものである。
【０００６】
本発明の第１の態様は、互いに着脱可能な支持体と布地とを有し、（ア）前記支持体が、８個の紐通し具と４本の支持用帯紐と１本の吊下用帯紐とを有し、各紐通し具は各支持用帯紐の両端に取り付けてあり、前記支持用帯紐は中央部分で４本重ねて放射状に固着してあり、前記吊下用帯紐は各紐通し具に挿通し環状にしてあり、各支持用帯紐に布地を着脱可能に取り付ける布地取付部を有し、（イ）前記布地が、８角形であって各頂点部分に支持用帯紐取付部を有することを特徴とする手提げバッグを提供するものである。
【０００７】
前記支持体が、さらに、補強用帯紐で８角形に形成した補強ネットを有し、前記補強ネットが、各頂点部分で前記支持用帯紐に固着してあることが好ましい。さらに、前記支持体が、さらに、前記吊下用帯紐を固定する掛け具を有する握り手を有することが好ましい。前記布地が傘地の再利用であるものであってもよい。
【０００８】
本発明の第２の態様は、使用済の８角形の傘を傘地と骨部に分離する工程、分離した傘地の各頂点部分に支持用帯紐着脱取付部を設ける工程、４本の支持用帯紐を中央部分で重ねて放射状に固着する工程、各支持用帯紐の両端に紐通し具を設ける工程、１本の吊下用帯紐を各紐通し具に挿通し環状にする工程、各支持用帯紐に布地着脱取付部を設ける工程、前記支持用帯紐の各端の布地着脱取付部に前記傘地の各頂点部分の支持用帯紐着脱取付部を着脱自在に取り付ける工程を含むことを特徴とする手提げバッグの製造方法を提供するものである。
【発明の効果】
【０００９】
本発明の手提げバッグは、上述したとおりであるので、重量物にも耐えられ、しかもかさばらず、収納物に応じて、通気性を確保したり、コンパクトにしたりすることが自在で、かつ収納以外の機能をも有する。
【発明を実施するための最良の形態】
【００１０】
以下に、添付した図面を参照しながら、本発明の好適な実施例の構成及び作用を詳細に説明する。
【実施例１】
【００１１】
図１は、本発明の実施例１に係る手提げバッグを示す構成図である。本実施例の手提げバッグ１は、互いに着脱可能な８角形の布地３と８角形の支持体２とを有する。手提げバッグ１は広げたときに平らになるので、コンパクトに折畳可能で、布地３と支持体２とは互いに取り外してもそれぞれ折畳可能である。
【００１２】
図２は、本発明の実施例１に係る手提げバッグの布地部分を示す図である。８角形の布地３は、各頂点部分に支持用帯紐取付部３１を有する。本実施例においては、支持用帯紐取付部３１はボタンホールである。
【００１３】
図３は、本発明の実施例１に係る手提げバッグの支持体部分を示す図である。８角形の支持体２は、８個の紐通し具２４と４本の支持用帯紐２１と１本の支持用帯紐２１とを有する。紐通し具２４は、中に帯紐を通せる輪状の部材で、本実施例では帯紐であるが、組紐や金具、樹脂製リングでもよい。４本の支持用帯紐２１ａ〜ｄは、それぞれの中央部分で重ねて８方向に放射状に広がるように縫い合わせて固着してある。それぞれの先端部には、帯紐を輪状に丸めて縫合した紐通し具２４を有する。吊下用帯紐２２は各紐通し具２４ａ〜ｈに挿通してあり、全体で環状になっている。吊下用帯紐２２は、８方に放射状に広げられた支持用帯紐２１の端部を、順に１周して繋いでいる。吊下用帯紐２２は、紐通し具２４の間部分のいずれでも引っ張ることができる。吊下用帯紐２２は、紐通し具２４の輪の中を自由に滑り動くので、吊下用帯紐２２の１又は複数箇所を引っ張ると紐通し具２４同士の距離が縮まり、支持体２は平面体から立体物となり、バッグの役目を果たす。このとき、紐通し具２４の部分が開口部となり、４本の支持用帯紐２１が重なった中央部分が底部となる。各支持用帯紐２１の両端の紐通し具２４を取り付けてある根元には、布地３の各頂点部分を着脱可能に取り付ける、布地取付部２５ａ〜ｈを有する。本実施例においては、布地取付部２５は、前記ボタンホールに対応する大きさのボタンである。
【００１４】
本実施例においては、支持体２には、補強用帯紐２３１で８角形に形成した補強ネット２３を有する。補強ネット２３は各頂点部分で支持用帯紐２１に固着してあり、手提げバッグ１の強度を補強する。補強ネット２３は、８方向に放射状に広がった支持用帯紐２１を隣接するもの同士結んで１周させて８角形にした補強用帯紐２３１ａ、補強用帯紐２３１ｂ、補強用帯紐２３１ｃ、補強用帯紐２３１ｄを有する。補強用帯紐２３１ａ、補強用帯紐２３１ｂ、補強用帯紐２３１ｃ、補強用帯紐２３１ｄは、同心の、相似形で大きさの異なる８角形となっている。補強用帯紐２３１ａ〜ｄは、それぞれ、４本の支持用帯紐２１とその交差部で固着してある。支持用帯紐２１の布地取付部２５付近に補強用帯紐２３１ａを有し、補強用帯紐２３１ｂ〜ｄは、その順に中心に向かって小さな８角形を形成している。補強ネット２３は、さらに、最も大きい８角形を形成する補強用帯紐２３１ａの各辺の中央から対辺の中央を結ぶ補強用帯紐２３１ｅ〜ｈを有する。補強用帯紐２３１ｅ〜ｈは、補強用帯紐２３１ａ〜ｄとその交差部で固着してあり、４本の支持用帯紐２１ともその交差部で固着してある。
【００１５】
さらに、本実施例の手提げバッグ１は、吊下用帯紐２２に握り手２６を有する。握り手２６は、内側に掛け具２６１を２個有し、面ファスナー等で開閉可能にした三つ折の布である。掛け具２６１ａ、ｂは、本実施例ではクリップであるが、吊下用帯紐２２を引っ掛けて保持できるものであればよい。また、吊下用帯紐２２のうち、引っ張るのに最適な部分にマーカー２８ａ〜ｄがつけてある。マーカー２８は本実施例ではクリップであるが、目印になれば素材は問わず、また吊下用帯紐２２の一部で色違いとした箇所であってもよい。マーカー２８があることによって、誰でも迷うことなく吊下用帯紐２２を引っ張って容易に正しく立体化できる。本実施例の手提げバッグ１は、吊下用帯紐２２に絞りリング２７を繋げてある。絞りリング２７は、吊下用帯紐２２の一部に固定することなく滑り移動させることができるように繋げてあり、吊下用帯紐２２上を自由に動かすことができる。絞りリング２７には、例えば、ゴムやプラスチック素材などを用いることができる。
【００１６】
本実施例においては、紐通し具２４、支持用帯紐２１、吊下用帯紐２２及び補強用帯紐２３１は、柔軟性があって丈夫で伸縮性の少ないテープ紐である。布製テープ紐の素材は、本実施例では、ポリエステルであるが、綿、麻、ナイロン、フェルト等の布であっても、ビニル樹脂等の合成樹脂や、樹脂をコーティングした布であってもよい。布地３の素材は、本実施例では、外側がビニル樹脂コーティングしてある綿布であるが、綿、麻、ナイロン、フェルト等の布であっても、ビニル樹脂等の合成樹脂や、樹脂をコーティングした布であってもよい。
【００１７】
布地取付部２５であるボタンと支持用帯紐取付部３１であるボタンホールは、それぞれ８つずつある。布地３と支持体２とは、ボタンをボタンホールに取り付けたり外したりすることで、着脱可能である。布地取付部２５がボタンホールで支持用帯紐取付部３１がボタンであってもよく、また、ボタンとボタンホールの代わりに、たとえば、面ファスナーのかぎ状のフック部と面ファスナーのループ状のパイル部であってもよい。面ファスナーとしては、マジックテープ（登録商標）等がある。
【００１８】
手提げバッグ１は、８角形の対辺となる任意の２箇所で吊下用帯紐２２を引っ張ると開口部が縮まって長い持ち手の袋になる。例えば、一升瓶など縦に長い荷物を入れるときに便利である。持ち手が長いので、肩掛バッグとして用いることができる。８角形の対辺となる任意の２箇所とこの２箇所と隣り合わない２箇所の合計４箇所で吊下用帯紐２２を引っ張ると開口部が縮まって短い持ち手の袋になる。図４は、本発明の実施例１に係る手提げバッグの使用例を示す図である。図４では、４箇所で吊下用帯紐２２を引っ張って握り手２６でまとめてあり、短い持ち手の袋になる。本実施例では、握り手２６の内部で２箇所の掛け具２６１に吊下用帯紐２２のうち、握り手２６の付いている吊下用帯紐２２と隣り合う２本の吊下用帯紐２２をそれぞれ引っ掛けて吊下用帯紐２２同士がクロスするのを防止する。本実施例で、短い持ち手の袋の状態にすると、例えば、寿司桶など平面方向に長い荷物を入れるときに便利である。対向する４方向から支えるので安定感のある手提げバッグとして用いることができる。また、いずれの場合も、吊下用帯紐２２の上から絞りリング２７を被せて通すと、紐通し具２４で止まるので、全ての紐通し具２４が１箇所に集まり、持ち手の広がりを防ぐこともできる。
【００１９】
本実施例では、補強ネット２３を有するので、布地３及びだけ支持用帯紐２１では支えきれないほどの重量物を入れても、布地の破損等を防止できる。
【００２０】
さらに、通気性を要するものや中身が見えてもよいものを入れる場合には、布地３から支持体２を取り外して、支持体２のみに荷物を収納することができる。例えば、スイカや植木、小型犬や猫などを入れるときに便利である。
【００２１】
また、本実施例の手提げバッグ１は、外側がビニル樹脂コーティングしてある綿布であり、防水性がある。本実施例の手提げバッグ１は、吊下用帯紐２２が、支持体２の外周以上の長さを有している。布地３は１枚の平面布地からなり、支持体２は平面状に縫合された紐の組み合わせからなり、手提げバッグ１は、広げたとき、布地３及び支持体２は、それぞれ平面体となる。したがって、吊下用帯紐２２の一部を引っ張らずに手提げバッグ１の全体を平らに広げ、それぞれ平面体となった布地３と支持体２は層状に重なったまま、手提げバッグの外側を下にして、レジャーシートとして利用できる。布地３から支持体２を外して布地３だけでレジャーシートとして利用することもできる。
【００２２】
本実施例の手提げバッグ１の使用方法の例として、小型犬を散歩兼買物に連れ歩くときに、折り畳んだ状態の手提げバッグ１を持って出かけ、公園では、手提げバッグ１を広げて、あるいは手提げバッグ１から支持体２を取り外した布地３を広げて、芝生等の上に敷いてレジャーシートとして利用し、店内では、手提げバッグ１から布地３を取り外した支持体２に犬を入れて買物し、再び支持体２に布地３を取り付けて買ったものを手提げバッグ１の中に入れて持ち帰るという方法が挙げられる。すなわち、本使用方法の例では、折り畳みコンパクトにした持ち運び態様、展開したレジャーシート態様、支持体での小動物等キャリアメッシュバッグ態様、全体での買物袋態様の４通りの態様となる。
【００２３】
本実施例によれば、重量物にも耐えられ、しかもかさばらず、収納物に応じて、通気性を確保したり、コンパクトにしたりすることが自在で、かつ収納以外の機能をも有する。本実施例によれば、支持体と布地に分離可能で、内容物に応じて様々な収納方法を選択ででき、かつ、レジャーシートとしての利用も可能である。
【実施例２】
【００２４】
本実施例の手提げバッグ１は、布地３が、使用済の傘の傘地を再利用したものである。傘は、強風等の骨部が折れて使えなくなることが多い。このような場合、傘の布地部分は無傷でも廃棄されることが多いのが実情である。本実施例は、まだ使える傘地を再利用して手提げバッグとしたエコロジーバッグである。それ以外の構成は実施例１と同様である。本実施例の手提げバッグ１の製造は、以下の工程で行う。まず、使用済の傘を傘地と骨部に分離して、傘地の中央部分の穴を縫い縮めて塞ぎ、８角形の布地とする（工程１）。次に、分離した傘地の各頂点部分に支持用帯紐着脱取付部を設ける（工程２）。一方、４本の支持用帯紐を中央部分で重ねて放射状に固着する（工程３）。各支持用帯紐の両端に紐通し具を設ける（工程４）。さらに、１本の吊下用帯紐を各紐通し具に挿通し環状にする（工程５）。また、各支持用帯紐に布地着脱取付部を設ける（工程６）。前記支持用帯紐の各端の布地着脱取付部に前記傘地の各頂点部分の支持用帯紐着脱取付部を着脱自在に取り付ける（工程７）。本実施例の布地は、傘地のため撥水性に優れた手提げバッグを実現できる。
【００２５】
本実施例によれば、上記実施例１で挙げた効果のほか、廃棄物の再利用が可能となる。
【００２６】
以上、本発明の好適な実施例について説明したが、本発明は、かかる実施形態に限定されず、その発明の趣旨を逸脱しない範囲で種々の変形実施が可能である。当業者であれば、特許請求の範囲に記載された技術的思想の範囲内において、各種の変更例又は修正例に想到しうることは明らかであり、それらについても当然に本発明の技術的範囲に属するものと了解される。
【図面の簡単な説明】
【００２７】
【図１】本発明の実施例１に係る手提げバッグを示す構成図である。
【図２】本発明の実施例１に係る手提げバッグの布地部分を示す図である。
【図３】本発明の実施例１に係る手提げバッグの支持体部分を示す図である。
【図４】本発明の実施例１に係る手提げバッグの使用例を示す図である。
【符号の説明】
【００２８】
１  手提げバッグ
２  支持体
２１  支持用帯紐
２２  吊下用帯紐
２３  補強ネット
２３１  補強用帯紐
２４  紐通し具
２５  布地取付部
２６  握り手
２６１  掛け具
２７  絞りリング
２８  マーカー
３  布地
３１  支持用帯紐取付部
【図１】
2009131348.tif 000003
【図２】
2009131348.tif 000004
【図３】
2009131348.tif 000005
【図４】
2009131348.tif 000006